(57)【要約】【課題】本発明は、車両や通行人に対して視覚的な情報を好適に提供しつつも、交通の妨げにならず、且つ、軽量で設置の作業性が良い表示具を提供することを課題とする。【解決手段】本発明に係る表示具１は、情報の表示部３を有する表示具本体２を備え、該表示具本体２は、気体を密封状態で収容可能な収容部４を内部に有し、前記表示具本体２が表示部３を外側に向けて柱状物Ｐに固定されることを特徴とする。【選択図】図２
2008292889.tif 000002
【特許請求の範囲】
【請求項１】
情報の表示部を有する表示具本体を備え、
該表示具本体は、気体を密封状態で収容可能な収容部を内部に有し、
前記表示具本体が表示部を外側に向けて柱状物に固定されることを特徴とする表示具。
【請求項２】
前記表示部は、情報が記載された情報表示体を着脱可能に構成されることを特徴とする請求項１に記載の表示具。
【請求項３】
前記収容部に収容される気体を出し入れ可能に構成されることを特徴とする請求項１又は２に記載の表示具。
【請求項４】
前記表示具本体を前記柱状物に固定する固定手段を備えることを特徴とする請求項１から３のいずれか一項に記載の表示具。
【請求項５】
前記収容部に気体が充填されると前記柱状物を取り囲むように前記表示具本体が膨張することで前記柱状物に固定されることを特徴とする請求項３に記載の表示具。
【発明の詳細な説明】
【技術分野】
【０００１】
本発明は、電柱等の柱状物に固定され、工事に関する情報等を表示する表示具に関する。
【背景技術】
【０００２】
従来、例えば路上で電気工事などを行う際に、車両や通行人にその旨を周知するとともに注意を喚起すべく、文字や記号が記載された一種の立て看板である工事用標識が一般的に用いられている。このような工事用標識は、遠くからでも視認可能であることが好ましいため、通行人とさほど変わらない高さ（例えば高さ１５０ｃｍ程度）及び幅に形成される。また、工事用標識の表示部分には、金属性の板材を用いたものが一般的である。
【発明の開示】
【発明が解決しようとする課題】
【０００３】
しかしながら、上述のような工事用標識は、路上に一時的に設置するものにしては大きくて場所を取るものである。従って、交通の妨げとなる場合もあり、接触の危険性もある。
【０００４】
また、かかる工事用標識は、その大きさゆえに重量もある。ここで、工事用標識は地面に直接固定して使用するものではないため、安定性の観点からはある程度の重量が許容されるのであるが、運搬や収納の際には嵩張る上に、設置の際には多大な労力が必要であって作業性が悪化する原因となっている。しかも、安定性を向上させるために土嚢などの重石をあえて立て看板に取り付けることもあり、その場合には作業性がさらに悪化する。
【０００５】
そこで、本発明は、車両や通行人に対して視覚的な情報を好適に提供しつつも、交通の妨げにならず、且つ、軽量で設置の作業性が良い表示具を提供することを目的とする。
【課題を解決するための手段】
【０００６】
本発明に係る表示具は、情報の表示部を有する表示具本体を備え、該表示具本体は、気体を密封状態で収容可能な収容部を内部に有し、前記表示具本体が表示部を外側に向けて柱状物に固定されることを特徴とする。
【０００７】
上記構成からなる表示具によれば、前記表示具本体が電柱等の柱状物の外周に固定されるため、別途場所を取ることなく設置できる。また、前記表示具本体は、内部に気体を密封状態で収容可能であるため、何らかの物体が当たる等した際には、衝撃を和らげる緩衝材として機能し得る。なお、前記情報としては、速度制限に関する情報や通行止めの情報などの工事に係る情報の他にも、例えば広告など、視覚的に表示することのできるあらゆる種類の情報が該当し得る。
【０００８】
また、前記表示部は、情報が記載された情報表示体を着脱可能に構成されるのが好ましい。
【０００９】
このようにすれば、情報表示体を変更することで表示内容を変更することができるため、表示内容ごとに表示具を用意する必要がなく、同じ表示具を用いて様々な表示内容に容易且つ即座に対応することができる。
【００１０】
また、前記表示具は、前記収容部に収容される気体を出し入れ可能に構成されるのが好ましい。
【００１１】
このようにすれば、収納時には気体を抜いてコンパクトな形状としておき、使用時には気体を入れて膨らませるといった使い方ができ、設置や運搬を容易に行うことができる。
【００１２】
また、前記表示具は、前記表示具本体を前記柱状物に固定する固定手段を備える構成が好ましい。
【００１３】
また、前記表示具は、前記収容部に気体が充填されると前記柱状物を取り囲むように前記表示具本体が膨張することで前記柱状物に固定される構成であってもよい。
【００１４】
このようにすれば、別途固定具を用いて柱状物に固定するなどしなくても、表示具本体自体で固定を行うことができる。
【発明の効果】
【００１５】
以上のように、本発明によれば、車両や通行人に対して視覚的な情報を好適に提供しつつも、交通の妨げにならず、且つ、軽量で設置の作業性が良い表示具を提供することができる。
【発明を実施するための最良の形態】
【００１６】
以下に、本発明に係る表示具の実施形態について、図面に基づいて説明する。
【００１７】
＜第一実施形態＞
図１に示すように、第一実施形態に係る表示具１は、情報の表示部３を有する表示具本体２を備え、該表示具本体２は、気体を密封状態で収容可能な収容部４を内部に有し、図２に示すように、前記表示具本体２が表示部３を外側に向けて電柱等の柱状物Ｐに固定される。また、前記表示部３には、情報が記載された情報表示体５が着脱可能に取り付けられる。
【００１８】
前記表示具本体２は、正面視四角形状（厳密には長方形状）の袋状を有する。該表示具本体２は、少なくとも三方の端縁部が封着されており、残る一端縁部に密閉可能な開口部２ａが設けられる。該開口部２ａには、密閉手段２ｂとして、図３に示すようないわゆるスライドファスナーが設けられている。該開口部２ａは、収容部４に収容される気体を取り込むとともに排出する部位であり、これにより、前記表示具本体２は前記収容部４に収容される気体を出し入れ可能となる。具体的には、前記開口部２ａ（即ち、密閉手段２ｂ）は、表示具本体２の長手方向下端部に設けられる。
【００１９】
前記表示具本体２の材質としては、収容時に折り畳むことができるように、変形容易な柔軟なもの（例えばビニールなど）が用いられる。また、前記表示具本体２の背面には、気体抜き孔２ｃが設けられており、該気体抜き孔２ｃには、外部から内部への気体の流入を防止する逆止弁が設けられている。
【００２０】
また、前記表示具本体２の前面は、前記情報表示体５を着脱可能に保持するように構成されており、即ち、表示具本体２の前面が前記表示部３として機能する。具体的には、前記表示具本体２の前面には、後述する前記情報表示体５に設けられる被係止体を係止する係止体６が設けられる。より具体的には、前記係止体６は、いわゆる面ファスナーの雄又は雌のいずれか一方であり、情報表示体５に設けられる被係止体としての面ファスナーの雌又は雄と係合する。ただし、係止体としては、これ以外にも、ボタンや磁石若しくはフック等で構成されるものが考えられる。
【００２１】
前記表示具本体２には、幅方向の張りを持たせるべく、表示具本体２の材質に比べて硬質な芯部材７が幅方向に沿って取り付けられる。具体的には、前記芯部材７は、表示具本体２の背面における長手方向両端部に取り付けられる。また、前記芯部材７は、収容時に表示具本体２を幅方向に二つ折りできるように、表示具本体２の幅方向中間部を挟んで左右に一対設けられる芯体７ａ，７ａによって構成される。さらに、使用時に前記左右一対の芯体７ａ，７ａを連結して一体的な芯部材７とすべく、連結部材７ｂが設けられる。該連結部材７ｂは、前記左右一対の芯体７ａ，７ａのいずれか一方に回転可能な状態で固定される連結体７ｃと、該連結体７ｃを回転不能に係止すべく前記左右一対の芯体７ａ，７ａの他方に設けられる係止体７ｄとで構成される。なお、前記芯部材７の芯体７ａとしては、例えばゴムなどが用いられる。
【００２２】
また、前記表示具本体２は、前記収容部４に収容された気体を暖める暖気手段（図示しない）を備える。具体的には、前記暖気手段は、蓄熱体及び／又は太陽光に含まれる赤外線などの電磁波を受けて発熱する発熱体であり、例えばシート状を有する部材である。
【００２３】
また、前記表示具１は、前記表示具本体２を前記柱状物Ｐに固定する固定手段８を備える。該固定手段８は、柱状物Ｐに巻き回される帯状部材８ａとして設けられる。具体的には、前記帯状部材８ａは、表示具本体２から幅方向両側に突出する態様で左右に一対設けられる。また、各帯状部材８ａには、該帯状部材８ａ，８ａ同士を繋ぐ連繋手段８ｂとしての面ファスナーが取り付けられ、前記柱状物を抱き込む態様で各帯状部材８ａ，８ａ同士が連結される。なお、各帯状部材８ａ，８ａ同士を繋ぐ連繋手段としては、面ファスナー以外にも、ボタンや磁石若しくはフック等が考えられる。また、連繋手段を用いることなく、前記一対の帯状部材８ａ，８ａ同士を結ぶものであってもよい。
【００２４】
前記情報表示体５は、前記表示具本体の前面の全体を覆う大きさを有するシート状体である。情報表示体５の例を挙げると、図４に示すようなものであり、速度制限に関する情報や通行止めの情報など、工事に係る様々な情報が記載されている。ただし、情報表示体５に記載される情報としては、これら工事に係る情報の他にも、例えば広告など、視覚的に表示することのできるあらゆる種類の情報が含まれ得る。また、情報表示体５の背面には、前記表示具本体２の前面に設けられる係止体６に保持される被保持体（図示しない）が設けられている。
【００２５】
上記構成からなる表示具１の使用方法としては、まず、前記密閉手段２ｂを開けて収容部４に大気を入れてから該密閉手段２ｂを閉じる。そして、表示すべき内容が記載された情報表示体５を前記表示具本体２の表示部３に取り付ける。次に、柱状物Ｐに前記固定手段８としての帯状部材８ａを巻き回して、表示具１を柱状物Ｐに固定する。なお、情報表示体５を前記表示具本体２の表示部３に取り付けるタイミングは特に問わず、任意である。
【００２６】
ところで、前記表示具１は、収容部４に気体が収容されることで、表示部３の前面が弛むことなく張った状態となる。従って、表示部３に取り付けられる情報表示体５も弛むことなく張った状態となり、表示を視認しやすくなる。また、配置される場所の温度によっては、収容された気体が暖められて膨張し、表示部３（ひいては情報表示体５）がより張った状態となる。さらに、前記暖気手段が備えられることにより、表示部３（ひいては情報表示体５）の張りは、より一層良好となる。
【００２７】
また、表示具１の使用後は、前記情報表示体５を取り外し、且つ、表示具１を前記柱状物Ｐから取り外し、前記表示具本体２を適宜折り畳む。その際、前記表示具本体２の表側に設けられる気体抜き孔２ｃが折り畳んだ後にも外側に位置するように折り畳む。そして、折り畳んだ後に収容部４に取り残されてしまった気体を前記気体抜き孔２ｃから抜く。
【００２８】
以上のように、第一実施形態に係る表示具１によれば、車両や通行人に対して視覚的な情報を好適に提供しつつも、交通の妨げにならず、且つ、軽量で設置の作業性を良くすることができる。
【００２９】
即ち、上記構成からなる表示具１によれば、前記表示具本体２が電柱等の柱状物Ｐの外周に固定されるため、別途場所を取ることなく設置できる。また、前記表示具本体２は、内部に気体を密封状態で収容可能であるため、何らかの物体が当たる等した際には、衝撃を和らげる緩衝材として機能し得る。
【００３０】
また、前記表示部３は、情報が記載された情報表示体５を着脱可能に構成されるため、情報表示体５を変更することで表示内容を変更することができるため、表示内容ごとに表示具を用意する必要がなく、同じ表示具１を用いて様々な表示内容に容易且つ即座に対応することができる。
【００３１】
しかも、前記表示具１は、前記収容部４に収容される気体を出し入れ可能に構成されるため、収納時には気体を抜いてコンパクトな形状としておき、使用時には気体を入れて膨らませるといった使い方ができ、設置や運搬を容易に行うことができる。
【００３２】
＜第二実施形態＞
第二実施形態に係る表示具１０は、図５に示すように、情報の表示部１３を有する表示具本体１２を備え、該表示具本体１２は、気体を密封状態で収容可能な収容部１４を内部に有し、前記表示具本体１２が表示部１３を外側に向けて柱状物Ｐに固定される（図７参照）。
【００３３】
そして、表示具１０は、図５（Ａ）に示すように、収容部１４に対してスプレーやボンベ等の給気手段１１によって気体を供給するよう構成される。具体的には、表示具本体１２の背面に給気孔１２ａを有する。また、該給気孔１２ａには、逆止弁が取り付けられている。さらに、前記表示具本体１２の背面には、前記給気手段１１を保持可能なポケット１２ｂが設けられる。
【００３４】
なお、第二実施形態に係る表示具１０は、第一実施形態に係る表示具１と同様に、前記表示部１３に情報が記載された情報表示体１５が着脱可能に取り付けられる（図７参照）。ところで、図７では、ポケット１２ｂに保持されていた給気手段１１が取り外された状態を示している。また、情報表示体１５は、第一実施形態において説明した情報表示体５と同様のものであり、表示具本体１２の前面には、前記情報表示体１５に設けられる被係止体（図示しない）を係止する係止体１６が設けられる。
【００３５】
また、表示具本体１２は、図６に示すように、その厚み方向に並ぶ複数層（具体的には３層）の収容部１４ａ，１４ｂ，１４ｃを内部に有する。具体的には、前記表示具本体１２は、複数（４つ）のシート体１２ｃ，１２ｄ，１２ｅ，１２ｆからなる。なお、該複数のシート体１２ｃ，１２ｄ，１２ｅ，１２ｆのうち、最も裏側のシート体１２ｆとしては、柱状物Ｐとの接触に対する耐久性に鑑みてゴム製の素材が用いられる。
【００３６】
そして、前記複数（３つ）の収容部１４ａ，１４ｂ，１４ｃのうち、一部（２つ）の収容部１４ａ，１４ｃには予め気体が密封されており、残る収容部１４ｂが気体を出し入れ可能に構成される。より具体的には、前記表側の第一収容部１４ａ及び裏側の第三収容部１４ｃが密封されており、中央の第二収容部１４ｂが気体を出し入れ可能に構成される。即ち、前記給気孔１２ａは、第二収容部１４ｂに連通する。また、第一実施形態と同様に、前記表示具本体１２の下端部には密閉可能な開口部１２ｇが設けられ、該開口部１２ｇには密閉手段１２ｈとしてのスライドファスナーが設けられている。なお、第二実施形態においては、該開口部１２ｇは、主に第二収容部１４ｂに収容される気体を排出する部位として機能する。
【００３７】
前記第一収容部１４ａ及び第三収容部１４ｃは、各収容部１４ａ，１４ｃを画定するシート体１２ｃ，１２ｄ及びシート体１２ｅ，１２ｆ自体を伸ばすことなく気体を収容することのできる最大容積よりも少ない量（具体的には、最大容積に対して約８０％）の気体が予め充填されている。
【００３８】
また、表示具１０は、図５（Ｂ）に示すように、幅方向両端側が中央側よりも厚く形成される。これにより、断面円形状の柱状物Ｐに取り付けられた際には、表示部１３が平坦な状態若しくは平坦に近い状態（図７参照）となり、表示部１３を正面から見た際に表示された情報の視認性を高めることができる。
【００３９】
なお、第二実施形態に係る表示具１０は、第一実施形態に係る表示具１と同様の固定手段１８を備え、該固定手段１８は、帯状部材１８ａとして設けられ、該帯状部材１８ａには、連繋手段１８ｂとしての面ファスナーが取り付けられる。
【００４０】
ところで、前記表示具１０は、第一収容部１４ａ及び第三収容部１４ｃに気体が収容されているため、表示部１３の前面が張った状態となっている。このため、表示部３に取り付けられる情報表示体１５も張った状態となり、表示を視認しやすい。また、配置される場所の温度によっては、収容された気体が暖められて膨張し、表示部１３（ひいては情報表示体１５）がより張った状態となる。一方、表示部１３（ひいては情報表示体１５）の張りが十分でない場合や、配置される場所の温度が低くて前記第一収容部１４ａ及び第三収容部１４ｃが収縮して表示部１３（ひいては情報表示体１５）が弛んでしまう場合などには、前記給気手段１１を用いて第二収容部１４ｂを膨らませる。
【００４１】
上記第二実施形態に係る表示具１０によれば、前記第一収容部１４ａ及び第三収容部１４ｃに気体が予め充填されているため、そのままの状態でも即座に使用することができる。しかも、第二収容部１４ｂに気体を入れて膨張させることもできるため、即座に使用できるという利便性を有しつつも、張りの程度を周囲の環境に応じて調整することもできる。
【００４２】
＜第三実施形態＞
第三実施形態に係る表示具２０は、図８及び図９に示すように、情報の表示部２３を有する表示具本体２２を備え、該表示具本体２２は、気体を密封状態で収容可能な収容部２４を内部に有し、前記表示具本体２２が表示部２３を外側に向けて柱状物Ｐに固定される（図１０参照）。また、表示具２０は、前記収容部２４に気体が充填されると前記柱状物Ｐを取り囲むように前記表示具本体２２が膨張することで前記柱状物Ｐに固定される。即ち、前記表示具２０の表示具本体２２は、形態の復元性を有し、収容部２４に気体が充填されると、内側に柱状物Ｐを収容可能な空間を形成するように膨張する（図１０参照）。
【００４３】
なお、第三実施形態に係る表示具２０は、第一実施形態に係る表示具１と同様に、前記表示部２３に情報が記載された情報表示体２５が着脱可能に取り付けられる（図１０参照）。また、情報表示体２５は、第一実施形態において説明した情報表示体５と同様のものであり、表示具本体２２の前面には、前記情報表示体２５に設けられる被係止体（図示しない）を係止する係止体２６が設けられる。
【００４４】
また、前記表示具本体２２の表示部２３は、異なる方向を向く複数の表示領域２３ａ，２３ａ…から構成される。具体的には、前記表示具本体２２は、上面視多角形状に構成され、前記表示部２３の各表示領域２３ａ，２３ａ…は、平坦な形状を有する。また、図９に示すように、前記表示具本体２２の上面視の外形形状は、環状体を半分より多く残して切り取った形状を有し、開放部２２ａよりも拡がった内部空間２２ｂを有する空洞形状に形成される。
【００４５】
そして、環状体を該環状体の中心を避けて切り欠くことにより環状体の径よりも短い間隔を有して対向する対向部位２２ｃ，２２ｃは、前記表示具本体２２が柱状物Ｐから脱落するのを防止するよう機能する。即ち、前記表示具２０は、柱状物Ｐの外周を少なくとも半周より多い範囲に亘って包囲する状態となる。
【００４６】
前記表示具２０は、前記収容部２４に対して給気手段としてのコンプレッサー２１によって気体を供給するよう構成される。具体的には、前記コンプレッサー２１は、表示具本体２２の前記対向部位２２ｃの一方に備えられる。
【００４７】
上記構成からなる表示具２０の使用方法としては、まず、表示部２３を外側に向けた状態で柱状物Ｐの適当な箇所に宛がい、コンプレッサー２１を作動させて気体を収容部２４に送り込む。すると、徐々に表示具本体２２が膨張し、やがて該表示具本体２２の内周面が柱状物Ｐの外周面に圧接する。その結果、前記表示具本体２２が柱状物Ｐを抱き込むような状態で前記表示具２０が柱状物Ｐに固定される。一方、前記表示具２０を収納する際には、コンプレッサー２１を作動させて気体を収容部２４から抜き出す。
【００４８】
上記第三実施形態に係る表示具２０によれば、別途固定具を用いて柱状物Ｐに固定するなどしなくても、表示具本体２２自体で固定を行うことができ、構造を簡素にすることができる。
【００４９】
＜第四実施形態＞
第四実施形態に係る表示具３０は、図１１に示すように、情報の表示部３３を有する表示具本体３２を備え、該表示具本体３２は、気体を密封状態で収容可能な収容部３４を内部に有し、前記表示具本体３２が表示部３３を外側に向けて柱状物（図示しない）に固定される。
【００５０】
前記表示具本体３２は、正面視四角形状（厳密には長方形状）の板状を有する。また、前記表示具本体３２は、複数のパーツ３２ａ，３２ｂ，３２ｃ，３２ｄ，３２ｅ，３２ｆ，３２ｇを連結させて構成される。各パーツ３２ａ〜３２ｇには、それぞれ収容部３４が形成され、各収容部３４の内部には、予め気体が密封されている。具体的には、前記表示具本体３２は、７つのパーツ３２ａ〜３２ｇによって構成され、各パーツ３２ａ〜３２ｇは、該パーツ３２ａ〜３２ｇの長手方向に沿う端縁同士が回転可能に連結される。
【００５１】
なお、第四実施形態に係る表示具３０は、第一実施形態に係る表示具１と同様に、情報が記載された情報表示体（図示しない）が前記表示部３３に着脱可能に取り付けられる。具体的には、表示具本体３２の前面には、前記情報表示体に設けられる被係止体（図示しない）を係止する係止体３６が設けられる。
【００５２】
また、前記表示具３０は、前記表示具本体３２を前記柱状物に固定する固定手段３８を備える。具体的には、図１２に示すように、該固定手段３８は、柱状物を挟み込むように力を作用させる挟持体３８ａとして設けられる。前記挟持体３８ａは、表示具本体３２の幅方向両端部（即ち、パーツ３２ａの長手方向両端部）から表示具３０の背面側ヘ向けて回転可能に設けられる一対の腕部材３８ｂ，３８ｂと、腕部材３８ｂ，３８ｂが互いに離間する方向に所定角度まで回転すると各腕部材３８ｂに当接して付勢力を作用させる板バネ等の弾性部材３８ｃとで構成される。より具体的には、前記各腕部材３８ｂ，３８ｂは、回転可能に連結される基端側及び先端側の二つの腕部材片３８ｄ，３８ｅと、基端側の腕部材片３８ｄに取り付けられ、腕部材片３８ｄ，３８ｅ同士のなす角度が所定角度となると先端側の腕部材片３８ｅに当接して付勢力を作用させる板バネ等の弾性部材３８ｆとで構成される。
【００５３】
前記固定手段３８は、表示具本体３２の上下方向両端部に設けられる。具体的には、前記挟持体３８ａは、上方及び下方のパーツ３２ａ，３２ｇに設けられ、さらに、前記挟持体３８ａは、硬質な板材３８ｈを介して各パーツ３２ａ，３２ｇに取り付けられている。また、上方及び下方の挟持体３８ａ，３８ａは、パーツ３２ａ，３２ｇの上部に設けられている。
【００５４】
ところで、前記表示具３０は、長手方向に沿う端縁同士が連結されて各パーツ３２ａ〜３２ｇが互いに回転可能であることにより、収納する際に表示具本体３２を折り畳むことができる。ここで、かかる折り畳みの構成について、図１３に基づいて説明する。
【００５５】
図１３（Ｂ）によく表わされるように、第１のパーツ３２ａと第２のパーツ３２ｂとは前面側で連結され、第２のパーツ３２ｂと第３のパーツ３２ｃとは背面側で連結され、第３のパーツ３２ｃと中央の第４のパーツ３２ｄとは背面側で連結される。また、下方側のパーツ３２ｅ〜３２ｇは上方側のパーツ３２ａ〜３２ｃと対称であり、第７のパーツ３２ｇと第６のパーツ３２ｆとは前面側で連結され、第６のパーツ３２ｆと第５のパーツ３２ｅとは背面側で連結され、第５のパーツ３２ｅと中央の第４のパーツ３２ｄとは背面側で連結される。
【００５６】
そして、前記パーツ３２ａ〜３２ｇから構成される表示具本体３２（図１３（Ａ）参照）を折り畳むと、図１３（Ｃ）のようになる。即ち、上方側のパーツ３２ａ〜３２ｃ及び下方側のパーツ３２ｅ〜３２ｇが前記中央の第４のパーツ３２ｄの背面側に位置し、且つ、前記パーツ３２ａとパーツ３２ｇとが背面側を対向させた状態となる。また、上方及び下方の各挟持体３８ａ，３８ａがともにパーツ３２ａ，３２ｇの上部に設けられることで、表示具本体３２を折り畳んだ状態で、挟持体３８ａ，３８ａ同士が干渉しない。
【００５７】
また、中央のパーツ３２ｅ以外（即ち、上方側のパーツ３２ａ〜３２ｃ、及び下方側のパーツ３２ｅ〜３２ｇ）には、表示具本体３２を折り畳んだ際に隣接するパーツ同士を固定する相互固定手段３９が設けられる。具体的には、前記相互固定手段３９は、折り畳んだ際に対面する各パーツの表面のうち、該パーツ同士の回転中心から離れた端部に設けられる。より具体的には、前記相互固定手段３９は、いわゆる面ファスナーの雄３９ａ及び雌３９ｂの対で構成され、雄３９ａ及び雌３９ｂの一方が隣接するパーツの一方に設けられ、雄３９ａ及び雌３９ｂの他方が隣接するパーツの他方に設けられる。ただし、かかる相互固定手段としては、これ以外にも、ボタンや磁石若しくはフック等で構成されるものが考えられる。
【００５８】
上方のパーツ３２ａ〜３２ｃで説明すると、第１のパーツ３２ａの前面の上端部に面ファスナーの雄３９ａが設けられ且つ第２のパーツ３２ｂの前面の下端部に面ファスナーの雌３９ｂが設けられ、第２のパーツ３２ｂの背面の上端部に雄３９ａが設けられ且つ第３のパーツ３２ｃの背面の下端部に雌３９ｂが設けられる。また、下方側のパーツ３２ｅ〜３２ｇは、上方側のパーツ３２ａ〜３２ｃと中央のパーツ３２ｅを挟んで対称に相互固定手段３９が配置される。
【００５９】
さらに、表示具本体３２が折り畳まれた状態を維持すべく、相互固定手段３９は、前記対向するパーツ３２ａとパーツ３２ｇとの間にも設けられる。これにより、表示具本体３２が展開してしまうのを規制する。具体的には、パーツ３２ａの上部に設けられた上方側の挟持体３８ａに面ファスナーの雌３９ｂが設けられ、パーツ３２ｇの下部に面ファスナーの雄３９ａが設けられる。同様に、パーツ３２ａの下部に面ファスナーの雄３９ａが設けられ、パーツ３２ｇの上部に設けられた下方側の挟持体３８ａに面ファスナーの雌３９ｂが設けられる。
【００６０】
ところで、前記表示具本体３２の前面側に配置された相互固定手段３９は、前記情報表示体を着脱可能に取り付ける前記係止体３６としても機能するものである。
【００６１】
上記第四実施形態に係る表示具３０によれば、収容部３４に予め気体が密封されているため、使用に際して気体を入れる手間を省くことができる。しかも、収納する際に表示具本体３２を折り畳むことができるため、使用に際して気体を入れる手間を省くことができつつも、収納時にコンパクトな形状とすることができるという利便性を有する
【００６２】
＜第五実施形態＞
第五実施形態に係る表示具４０は、図１４に示すように、第四実施形態に係る表示具３０とは、固定手段４８の構成が相違するものの、基本構成は共通する。
【００６３】
まず、表示具３０と共通する部分から簡単に説明すると、表示具４０は、情報の表示部４３を有する表示具本体４２を備え、該表示具本体４２は、気体を密封状態で収容可能な収容部４４を内部に有し、前記表示具本体４２が表示部４３を外側に向けて柱状物（図示しない）に固定される。
【００６４】
また、前記表示具本体４２は、複数のパーツ４２ａ，４２ｂ，４２ｃ，４２ｄ，４２ｅ，４２ｆ，４２ｇを連結させて構成される。さらに、表示具４０は、情報が記載された情報表示体（図示しない）が前記表示部４３に着脱可能に取り付けられ、具体的には、表示具本体４２の前面には、前記情報表示体に設けられる被係止体（図示しない）を係止する係止体４６が設けられる。
【００６５】
さらに、前記表示具４０は、表示具３０におけると同様の態様（図１３（Ｃ）参照）で表示具本体４２を折り畳むことができるとともに、中央のパーツ４２ｅ以外（即ち、上方側のパーツ４２ａ〜４２ｃ、及び下方側のパーツ４２ｅ〜４２ｇ）には、隣接するパーツ同士を固定する相互固定手段４９が設けられ、該相互固定手段４９は、いわゆる面ファスナーの雄４９ａ及び雌４９ｂの対で構成される。
【００６６】
なお、前記表示具本体４２の前面側に配置された相互固定手段４９は、前記情報表示体を着脱可能に取り付ける前記係止体４６としても機能するものである。
【００６７】
次に、表示具４０に特有の構成である固定手段４８について説明する。前記固定手段４８は、いわゆる面ファスナーの雄４８ａ及び雌４８ｂの対で構成され、雄４８ａ及び雌４８ｂの対が前記第１パーツ４２ａ及び第７パーツ４２ｇにそれぞれ設けられる。これら一対の雄４８ａ及び雌４８ｂは、表示具本体２から幅方向両側に突出する態様で設けられる。
【００６８】
そして、固定手段４８は、表示具本体４２が折り畳まれた状態を維持するのにも用いられ、折り畳まれた表示具本体４２の外周に巻き回して相互に固定することにより、表示具本体４２が展開するのを規制する。なお、かかる固定手段としては、面ファスナー以外にも、ボタンや磁石若しくはフック等で構成されるものが考えられる。
【００６９】
上記第五実施形態に係る表示具４０によれば、収容部４４に予め気体が密封されているため、使用に際して気体を入れる手間を省くことができる。しかも、収納する際に表示具本体４２を折り畳むことができるため、使用に際して気体を入れる手間を省くことができつつも、収納時にコンパクトな形状とすることができるという利便性を有する。
【００７０】
なお、本発明に係る表示具は、上記各実施形態に限定されるものではなく、本発明の要旨を逸脱しない範囲で種々の変更が可能である。
【００７１】
例えば、前記柱状物の一例として電柱を用いたが、本発明に係る表示具は、建物の柱などに対しても使用することができ、また、断面円形状の柱状物以外に対しても使用することができる。さらに、電柱などのように鉛直方向に沿って設置されるもの以外にも、斜めに設置される柱状物や水平方向に設置される柱状物に対しても使用することができる。
【００７２】
また、前記表示部としては、情報表示体が着脱可能に取り付けられるもの以外にも、表示具本体の前面に直接情報が記載されたものであってもよい。さらに、情報表示体が着脱可能に取り付けられるものとしても、例えば、情報表示体を保持する透明な保持部が表示具本体の前面側に設けられたものであってもよい。
【００７３】
さらに、前記表示部としては、表示具本体の前面に直接情報が記載されるとともに、情報表示体が着脱可能に取り付けられるものであってもよい。例えば、表示具本体の前面には定形文を記載しておき、内容（数字など）が変更され得る部分のみ、その情報が記載された情報表示体を着脱自在に取り付けるものであってもよい。このように一部のみ情報を変更する場合を含め、情報表示体としては、前記表示具本体の前面の全体を覆う大きさを有するものに限られない。
【図面の簡単な説明】
【００７４】
【図１】本発明の第一実施形態に係る表示具を示す図であって、（Ａ）は、正面図、（Ｂ）は、背面図を示す。
【図２】同実施形態に係る表示具を電柱に固定した状態の正面図を示す。
【図３】同実施形態に係る表示具に設けられる開口部及び該開口部に設けられる密閉手段の図を示す。
【図４】同実施形態に係る表示具に着脱自在に取り付けられる情報表示体の正面図を示す。
【図５】本発明の第二実施形態に係る表示具を示す図であって、（Ａ）は、背面図、（Ｂ）は、上面図を示す。
【図６】同実施形態に係る表示具の表示具本体の断面図を示す。
【図７】同実施形態に係る表示具を電柱に固定した状態の上面図を示す。
【図８】本発明の第三実施形態に係る表示具を示す図であって、（Ａ）は、正面図、（Ｂ）は、側面図を示す。
【図９】同実施形態に係る表示具の上面図を示す。
【図１０】同実施形態に係る表示具を電柱に固定した状態の正面図を示す。
【図１１】本発明の第四実施形態に係る表示具を示す図であって、（Ａ）は、正面図、（Ｂ）は、背面図を示す。
【図１２】同実施形態に係る表示具を示す図であって、（Ａ）は、第１のパーツの背面の拡大図、（Ｂ）は、上面図を示す。
【図１３】同実施形態に係る表示具を折り畳む状態を説明する側面図であって、（Ａ）は、折り畳む前の状態、（Ｂ）は、折り畳み中の状態、（Ｃ）は、折り畳んだ後の状態を示す。
【図１４】本発明の第五実施形態に係る表示具を示す図であって、（Ａ）は、正面図、（Ｂ）は、背面図を示す。
【符号の説明】
【００７５】
１…表示具、２…表示具本体、２ａ…開口部、２ｂ…密閉手段、２ｃ…気体抜き孔、３…表示部、４…収容部、５…情報表示体、６…係止体、７…芯部材、７ａ…芯体、７ｂ…連結部材、７ｃ…連結体、７ｄ…係止体、８…固定手段、８ａ…帯状部材、８ｂ…連繋手段、１０…表示具、１１…給気手段、１２…表示具本体、１２ａ…給気孔、１２ｂ…ポケット、１２ｃ，１２ｄ，１２ｅ，１２ｆ…シート体、１２ｇ…開口部、１２ｈ…密閉手段、１３…表示部、１４…収容部、１４ａ…第一収容部、１４ｂ…第二収容部、１４ｃ…第三収容部、１５…情報表示体、１６…係止体、１８…固定手段、１８ａ…帯状部材、１８ｂ…連繋手段、２０…表示具、２１…コンプレッサー、２２…表示具本体、２２ａ…開放部、２２ｂ…内部空間、２２ｃ…対向部位、２３…表示部、２３ａ，２３ａ…表示領域、２４…収容部、２５…情報表示体、２６…係止体、３０…表示具、３２…表示具本体、３２ａ，３２ｂ，３２ｃ，３２ｄ，３２ｅ，３２ｆ，３２ｇ…パーツ、３３…表示部、３４…収容部、３６…係止体、３８…固定手段、３８ａ…挟持体、３８ｂ…各腕部材、３８ｃ…弾性部材、３８ｄ…腕部材片、３８ｅ…腕部材片、３８ｆ…弾性部材、３８ｈ…板材、３９…相互固定手段、３９ａ…雄、３９ｂ…雌、４０…表示具、４２…表示具本体、４２ａ，４２ｂ，４２ｃ，４２ｄ，４２ｅ，４２ｆ，４２ｇ…パーツ、４３…表示部、４４…収容部、４６…係止体、４８…固定手段、４８ａ…雄、４８ｂ…雌、４９…相互固定手段、４９ａ…雄、４９ｂ…雌、Ｐ…柱状物
【図１】
2008292889.tif 000003
【図２】
2008292889.tif 000004
【図３】
2008292889.tif 000005
【図４】
2008292889.tif 000006
【図５】
2008292889.tif 000007
【図６】
2008292889.tif 000008
【図７】
2008292889.tif 000009
【図８】
2008292889.tif 000010
【図９】
2008292889.tif 000011
【図１０】
2008292889.tif 000012
【図１１】
2008292889.tif 000013
【図１２】
2008292889.tif 000014
【図１３】
2008292889.tif 000015
【図１４】
2008292889.tif 000016